(57)【要約】【課題】本発明の防臭消臭剤は、皮膚常在菌のうち、腋臭等の悪臭の原因となるコリネバクテリウム属の菌や足の悪臭の原因となるブレビバクテリウム属の菌および繊維製品に付着した皮脂等の汚れを分解することで悪臭を発生する原因となるブレビバクテリウム属やコリネバクテリウム属の菌に対して優れた抗菌効果をもち、人体に安全で、不快臭抑制効果の優れた皮膚防臭消臭剤、靴用防臭消臭剤および繊維製品から発生する悪臭、不快臭抑制効果の優れた繊維製品防臭消臭剤を提供することを目的とする。【解決手段】ε−ポリリジンおよび／またはその塩を有効成分とする防臭消臭剤もしくはε−ポリリジンおよび／またはその塩、ｐＨ緩衝性電解質およびグリシンおよび／またはアラニンからなるアミノ酸を配合した防臭消臭剤を製造する。【選択図】なし。【特許請求の範囲】
【請求項１】
ε−ポリリジンおよび／またはその塩を有効成分とする防臭消臭剤。
【請求項２】
下記成分（Ａ）、（Ｂ）、及び（Ｃ）を含有することを特徴とする防臭消臭剤。
（Ａ）ε−ポリリジンおよび／またはその塩。
（Ｂ）ｐＨ緩衝能を有する電解質。
（Ｃ）アミノ酸。
【請求項３】
ε−ポリリジンおよび／またはその塩を０．００１〜５重量％の範囲で含有する請求項１もしくは請求項２記載の防臭消臭剤。
【請求項４】
ｐＨ緩衝能を有する電解質を０．００１〜３０重量％の範囲で含有する請求項２記載の防臭消臭剤。
【請求項５】
アミノ酸を０．００１〜５０重量％の範囲で含有する請求項２記載の防臭消臭剤。
【請求項６】
アミノ酸がグリシンおよびアラニンから選ばれた一種類以上である請求項２記載の防臭消臭剤。
【請求項７】
防臭消臭剤が皮膚用の防臭消臭剤である請求項１〜６のいずれか１項記載の防臭消臭剤。
【請求項８】
防臭消臭剤が靴用の防臭消臭剤である請求項１〜６のいずれか１項記載の防臭消臭剤。
【請求項９】
防臭消臭剤が繊維製品用の防臭消臭剤である請求項１〜６のいずれか１項記載の防臭消臭剤。
【発明の詳細な説明】
【０００１】
【発明の属する技術分野】
本発明は防臭消臭剤に関する。さらに詳しくは、ε−ポリリジンおよび／またはその塩を有効成分とする防臭消臭剤、並びにε−ポリリジンおよび／またはその塩、ｐＨ緩衝能を有する電解質およびアミノ酸を含有する防臭消臭剤に関する。特に皮膚用、靴用および繊維製品用に好適に用いられる防臭消臭剤に関する。
【０００２】
【従来の技術】
人体等の体臭は皮膚表面に生息する微生物（以下皮膚常在菌という）によって引き起こされることが知られている。即ちかかる皮膚常在菌は汗腺から分泌される脂質やタンパク質、皮脂腺から分泌される皮脂等の成分を栄養源としており、この成分が皮膚常在菌によって分解されて臭気成分を生成することが知られている。この臭気成分は本人のみならず周囲の人々に対して不快感を与える原因となる。従って、これらの不快な体臭の発散や分泌を防止するため、あるいは軽減させるために防臭消臭剤が用いられる。この防臭消臭剤の製品形態としては、一般に化粧水、クリーム、パウダー、スティックもしくはエアゾール等があり、これらの防臭消臭剤の機能としては次の４つがあげられる。
（１）皮膚から分泌する汗等の分泌物の量を抑制する。
（２）皮膚表面での皮膚常在菌を殺菌もしくはその増殖を抑制する。
（３）生成した臭気成分を香料等でマスクする。
（４）生成した臭気成分を消臭剤に吸着させる。
【０００３】
一般に、皮膚常在菌としては、グラム陽性の球菌であるミクロコッカス属（ｍｉｃｒｏｃｏｃｃｕｓ）、スタフィロコッカス属（Ｓｔａｐｈｙｌｏｃｏｃｃｕｓ）およびグラム陽性の桿菌であるコリネ型菌（Ｃｏｒｙｎｅｆｏｒｍ）、プロピオニバクテリウム属（Ｐｒｏｐｉｏｎｉｂａｃｔｅｒｉｕｍ）、ブレビバクテリウム属（Ｂｒｅｖｉｂａｃｔｅｒｉｕｍ）の菌が知られている。このような皮膚常在菌による分解生成物の主な成分は、酢酸、プロピオン酸、イソ酪酸、イソ吉草酸、カプロン酸及びカプリン酸等の炭素数１０以下の低級脂肪酸、アセトアルデヒド、アンモニアあるいは硫化水素等である。中でも足の悪臭の原因菌としては、ブレビバクテリウム属（Ｂｒｅｖｉｂａｃｔｅｒｉｕｍ）の菌、腋等の悪臭の原因菌としては、コリネバクテリウム属（Ｃｏｒｙｎｅｂａｃｔｅｒｉｕｍ）の菌が知られている。
【０００４】
さらに、衣類、寝具、カーテン等の繊維製品は、空気中の汚れや人等の動物の汗腺から分泌される脂質やタンパク質、皮脂腺から分泌される皮脂等の繊維に付着した成分を、例えば皮膚常在菌のような微生物が分解することに由来する悪臭を発生する。特に着用後の衣類や、梅雨時に室内乾燥した衣類等でこの悪臭は著しく、不愉快であり、しかも衛生的に好ましくない。これらの悪臭の発生を防止するため、あるいは軽減させるために繊維製品用防臭消臭剤が用いられる。
繊維製品防臭消臭剤の機能としては次の３つがあげられる。
（１）繊維表面での微生物の増殖を抑制する。
（２）生成した臭気成分を香料等でマスクする。
（３）生成した臭気成分を消臭剤に吸着させる。
【０００５】
従来、かかる不快臭の消臭や脱臭方法として、抗菌剤による微生物の増殖抑制や制汗剤による体臭の抑制、香料による不快臭のマスキング等が行なわれている。しかしながら、従来の抗菌剤は、特に主成分が銀、銅あるいは亜鉛等の重金属系抗菌剤および有機物系抗菌剤であり、かかる抗菌剤はアレルギー惹起や毒性など、人体等への安全性の問題がある。また制汗剤についても人体等の重要な生理現象を抑制するものであるため最小限の使用にとどめる必要がある。そのため、例えば、腋下のように皮脂やタンパク質の分泌が多く、皮膚常在菌の増殖し易いところでは、不快臭を十分に防ぐことは難しい。また、着用後の衣類のように皮脂やタンパク質の付着の多い繊維や、梅雨時に室内乾燥した衣類のように、微生物の増殖し易いところでは、不快臭を十分に防ぐことは難しい。更に、香料によるマスキングは、香料の香りと不快臭が混ざり合って、かえって悪臭となることがある。
【０００６】
【本発明が解決しようとする課題】
本発明はこのような欠点を改善し、不快臭抑制効果に優れ、人体等に使用しても安全性が高い防臭消臭剤を提供することを目的とする。
【０００７】
【課題を解決するための手段】
本発明は、ε−ポリリジン及び／またはその塩を有効成分とする防臭消臭剤並びにε−ポリリジン及び／またはその塩を主成分とし、これにｐＨ緩衝能を有する電解質およびアミノ酸を配合した組成物からなる防臭消臭剤である。
この配合組成物は、極めて高い相乗効果をもっており悪臭発生の原因となる皮膚常在菌、例えば、グラム陽性の球菌であるミクロコッカス属（ｍｉｃｒｏｃｏｃｃｕｓ）、スタフィロコッカス属（Ｓｔａｐｈｙｌｏｃｏｃｃｕｓ）およびグラム陽性の桿菌であるコリネ型菌（Ｃｏｒｙｎｅｆｏｒｍ）、プロピオニバクテリウム属（Ｐｒｏｐｉｏｎｉｂａｃｔｅｒｉｕｍ）、ブレビバクテリウム属（Ｂｒｅｖｉｂａｃｔｅｒｉｕｍ）菌に対して優れた抗菌作用を示し、菌類の増殖による悪臭・異臭を未然に抑制することが可能である。特に、比較的耐性の強いブレビバクテリウム属（Ｂｒｅｖｉｂａｃｔｅｒｉｕｍ）の菌、コリネバクテリウム属（Ｃｏｒｙｎｅｂａｃｔｅｒｉｕｍ）の菌に対しても優れた抗菌作用を示し、菌類の増殖による悪臭・異臭を未然に抑制することが可能である。また、本発明に使用するε−ポリリジンの毒性は非常に低く、例えばε−ポリリジン塩酸塩のマウス経口投与における急性毒性は、ＬＤ５０　で５ｇ／ｋｇ以上であり、人体等に使用しても安全性が高い。
【０００８】
【発明の実施の形態】
本発明において使用するε−ポリリジンは、何れの方法によって得られたものであってもよく、具体的には、特許第１２４５３６１号に記載のストレプトマイセス・アルプラス・サブスピーシーズ・リジノポリメラスを、グルコース５重量％、酵母エキス０．５重量％、硫酸アンモニウム１重量％、リン酸水素二カリウム０．０８重量％、リン酸二水素カリウム０．１３６重量％、硫酸マグネシウム・７水和物０．０５重量％、硫酸亜鉛・７水和物０．００４重量％、硫酸鉄・７水和物０．０３重量％、ｐＨ６．８に調整した培地にて培養し、得られた培養物からε−ポリリジンもしくはその塩を分離・採取することによって得られる。
【０００９】
本発明において、ε−ポリリジンは遊離ものを用いてもよく、塩酸、硫酸、およびリン酸などの無機酸とε−ポリリジンとで形成されるε−ポリリジンの無機酸塩、酢酸、プロピオン酸、フマル酸、リンゴ酸、クエン酸、マレイン酸、アジピン酸、グルコン酸、および乳酸などの有機酸とε−ポリリジンとで形成されるε−ポリリジンの有機酸塩、カプロン酸、ラウリン酸、およびステアリン酸などの中鎖および長鎖の飽和脂肪酸とε−ポリリジンとで形成されるε−ポリリジンの飽和脂肪酸塩、オレイン酸、リノール酸、およびアラキドン酸などの中鎖および長鎖の不飽和脂肪酸とε−ポリリジンとで形成されるε−ポリリジンの不飽和脂肪酸塩などを用いてもよく、これらの混合物でもよい。
【００１０】
ポリリジンはこの他、合成法によるα−ポリリジンも使用できるが、本目的にはε−ポリリジンが好ましい。
【００１１】
本発明の防臭消臭剤中のε−ポリリジンおよび／またはその塩の含有量は、防臭消臭剤全量に対して、ε−ポリリジンとして、好ましくは０．００１〜５重量％、より好ましくは０．０１〜０．５重量％である。含有量が０．００１重量％より少ないと十分な抗菌効果が発揮されない恐れがあり、また、５重量％より多い場合は抗菌効果には問題ないが、経済的に不利である。
【００１２】
本発明で用いるｐＨ緩衝能を有する電解質としては、リン酸−リン酸金属塩、酢酸−酢酸金属塩、乳酸−乳酸金属塩、コハク酸−コハク酸金属塩液、酒石酸−酒石酸金属塩、クエン酸−クエン酸金属塩、リンゴ酸−リンゴ酸金属塩等挙げることができる。また金属塩として特に種類は限定しないが、溶解性の点でナトリウム塩やカリウム塩が好ましい。これら電解質の含有量は、防臭消臭剤全量に対して、このましくは０．００１〜３０重量％、より好ましくは０．０１〜１０重量％である。含有量が０．００１重量％より少ないと十分なｐＨ緩衝能が発揮されない恐れがあり、また、３０重量％より多い場合は経済的に不利である。
【００１３】
本発明の防臭消臭剤は、化粧水、クリーム、パウダー、スティック、固形状あるいはエアゾール等の形態等、特に限定されるものではないが、スプレ−して使用する方法が好ましい。
【００１４】
本発明の防臭消臭剤のｐＨは３．０〜９．０、より好ましくは４．５〜６．５の範囲に調節することが好ましい。ｐＨが３．０未満や９．０以上では、使用時に皮膚の赤変や、刺激を感じる場合がある。ｐＨの調整は上記電解質の組成を適宜選択することで達成される。
【００１５】
本発明で用いるアミノ酸としては、中性アミノ酸（グリシン、アラニン、バリン、ロイシン等）、酸性アミノ酸（アスパラギン酸、グルタミン酸等）、塩基性アミノ酸（リジン、アルギニン等）その他があるが、本発明におけるε−ポリリジンとの併用で著しい相乗効果が認められるグリシン、アラニンの使用が最も好ましい。これらのアミノ酸の含有量は、防臭消臭剤全量に対して、好ましくは０．００１〜５０重量％、より好ましくは０．０１〜２０重量％である。含有量が０．００１重量％より少ないと、抗菌効果において、ε−ポリリジンとの著しい相乗効果が認められない恐れがあり、また、５０重量％より多い場合は経済的に不利である。
【００１６】
また、本発明の防臭消臭剤には、使用目的に応じて、通常の保湿剤、増粘剤、界面活性剤、制汗剤、消臭剤、香料等、また媒体補助剤として粉末、溶剤、噴射剤等を配合する。また、本発明の効果を損なわない範囲で他の抗菌剤を配合してもよい。
【００１７】
保湿剤としては、例えば、ポリエチレングリコール、プロピレングリコール、グリセリン、１，３−ブチレングリコール、ヘキシレングリコール、キシリトール、ソルビトール、マルチトール、コンドロイチン硫酸、ヒアルロン酸、ムコイチン硫酸、カロニン酸、アテロコラーゲン、コレステリル−１２−ヒドロキシステアレート、乳酸ナトリウム、胆汁酸塩、ｄｌ−ピロリドンカルボン酸塩、短鎖可溶性コラーゲン、ジグリセリン（ＥＯ）ＰＯ付加物、イザヨイバラ抽出物、セイヨウノコギリソウ抽出物、メリロート抽出物等が挙げられる。
【００１８】
増粘剤としては、例えば、アラビアガム、カラギーナン、カラヤガム、トラガカントガム、キャロブガム、クインスシード（マルメロ）、カゼイン、デキストリン、ゼラチン、ペクチン酸ナトリウム、アラギン酸ナトリウム、メチルセルロース、エチルセルロース、ＣＭＣ、ヒドロキシエチルセルロース、ヒドロキシプロピルセルロース、ＰＶＡ、ＰＶＭ、ＰＶＰ、ポリアクリル酸ナトリウム、カルボキシビニルポリマー、ローカストビーンガム、グアーガム、タマリントガム、ジアルキルジメチルアンモニウム硫酸セルロース、キサンタンガム、ケイ酸アルミニウムマグネシウム、ベントナイト、ヘクトライト、ケイ酸Ａ１Ｍｇ（ビーガム）、ラポナイト、無水ケイ酸等が挙げられる。
【００１９】
アニオン界面活性剤として、脂肪酸セッケンが、セッケン用素地、ラウリン酸ナトリウム、パルミチン酸ナトリウム等で、高級アルキル硫酸エステル塩が、ラウリル硫酸ナトリウム、ラウリン硫酸カリウム等で、アルキルエーテル硫酸エステル塩が、ＰＯＥラウリル硫酸トリエタノールアミン、ＰＯＥラウリル硫酸ナトリウム等、Ｎ−アシルサルコシン酸塩が、ラウロイルサルコシンナトリウム等、高級脂肪酸アミドスルホン酸塩が、Ｎ−ミリストイル−Ｎ−メチルタウリンナトリウム、ヤシ油脂肪酸メチルタウリッドナトリウム、ラウリルメチルタウリッドナトリウム等、リン酸エステル塩ＰＯＥオレイルエーテルリン酸ナトリウムが、ＰＯＥステアリルエーテルリン酸等、スルホコハク酸塩が、ジ−２−エチルヘキシルスルホコハク酸ナトリウム、モノラウロイルモノエタノールアミドポリオキシエチレンスルホコハク酸ナトリウム、ラウリルポリプロピレングリコールスルホコハク酸ナトリウム等、アルキルベンゼンスルホン酸塩として、リニアドデシルベンゼンスルホン酸ナトリウム、リニアドデシルベンゼンスルホン酸トリエタノールアミン、リニアドデシルベンゼンスルホン酸等、Ｎ−アシルグルタミン酸塩として、Ｎ−ラウロイルグルタミン酸モノナトリウム、Ｎ−ステアロイルグルタミン酸ジナトリウム、Ｎ−ミリストイル−Ｌ−グルタミン酸モノナトリウム等、高級脂肪酸エステル硫酸エステル塩が、硬化ヤシ油脂肪酸グリセリン硫酸ナトリウム等、ＰＯＥアルキルエーテルカルボン酸塩が、ＰＯＥアルキルアリルエーテルカルボン酸塩、α−オレフィインスルホン酸塩、高級脂肪酸エステルスルホン酸塩、二級アルコール硫酸エステル塩、高級脂肪酸アルキロールアミド硫酸エステル、その他として、ラウロイルモノエタノールアミドコハク酸ナトリウム、Ｎ−パルミトイルアスパラキン酸ジトリエタノールアミン、カゼインナトリウム等が挙げられる。
【００２０】
カチオン界面活性剤としては、例えば、アルキルトリメチルアンモニウム塩（例えば、塩化ステアリルトリメチルアンモニウム、塩化ラウリルトリメチルアンモニウム等）；アルキルピリジニウム塩（例えば、塩化セチルピリジニウム等）；塩化ジステアリルジメチルアンモニウムジアルキルジメチルアンモニウム塩；塩化ポリ（Ｎ，Ｎ’−ジメチル−３，５−メチレンピペリジニウム）；アルキル四級アンモニウム塩；アルキルジメチルベンジルアンモニウム塩；アルキルイソキノリニウム塩；ジアルキルモリホニウム塩；ＰＯＥ−アルキルアミン；アルキルアミン塩；ポリアミン脂肪酸誘導体；アミルアルコール脂肪酸誘導体；塩化ベンザルコニウム；塩化ベンゼトニウム等が挙げられる。
【００２１】
両性界面活性剤としては、例えば、イミダゾリン系両性界面活性剤（例えば、２−ウンデシル−Ｎ，Ｎ，Ｎ−（ヒドロキシエチルカルボキシメチル）−２−イミダゾリンナトリウム、２−ココイル−２−イミタゾリニウムヒドロキサイド−１−カルボキシエチロキシ２ナトリウム塩等）；ベタイン系界面活性剤（例えば、２−ヘプタデシル−Ｎ−カルボキシメチル−Ｎ−ヒドロキシエチルイミダゾリニウムベタイン、ラウリルジメチルアミノ酢酸ベタイン、アルキルベタイン、アミドベタイン、スルホベタイン等）等が挙げられる。
【００２２】
親油性非イオン界面活性剤としては、例えば、ソルビタン脂肪酸エステル類（例えば、ソルビタンモノオレエート、ソルビタンモノイソステアレート、ソルビタンモノラウレート、ソルビタンモノパルミテート、ソルビタンモノステアレート、ソルビタンセスキオレエート、ソルビタントリオレエート、ペンタ−２−エチルヘキシル酸ジグリセロールソルビタン、テトラ−２−エチルヘキシル酸ジグリセロールソルビタン等）；グリセリンポリグリセリン脂肪酸類（例えば、モノ綿実油脂肪酸グリセリン、モノエルカ酸グリセリン、セスキオレイン酸グリセリン、モノステアリン酸グリセリン、α，　α’−オレイン酸ピログルタミン酸グリセリン、モノステアリン酸グリセリンリンゴ酸等）；プロピレングリコール脂肪酸エステル類（例えば、モノステアリン酸プロピレングリコール等）；硬化ヒマシ油誘導体；グリセリンアルキルエーテル等が挙げられる。
【００２３】
親水性非イオン界面活性剤としては、例えば、ＰＯＥ−ソルビタン脂肪酸エステル類（例えば、ＰＯＥ−ソルビタンモノオレエート、ＰＯＥ−ソルビタンモノステアレート、ＰＯＥ−ソルビタンモノオレート、ＰＯＥ−ソルビタンテトラオレエート等）；ＰＯＥソルビット脂肪酸エステル類（例えば、ＰＯＥ−ソルビットモノラウレート、ＰＯＥ−ソルビットモノオレエート、ＰＯＥ−ソルビットペンタオレエート、ＰＯＥ−ソルビットモノステアレート等）；ＰＯＥ−グリセリン脂肪酸エステル類（例えば、ＰＯＥ−グリセリンモノステアレート、ＰＯＥ−グリセリンモノイソステアレート、ＰＯＥ−グリセリントリイソステアレート等のＰＯＥ−モノオレエート等）；ＰＯＥ−脂肪酸エステル類（例えば、ＰＯＥ−ジステアレート、ＰＯＥ−モノジオレエート、ジステアリン酸エチレングリコール等）；ＰＯＥ−アルキルエーテル類（例えば、ＰＯＥ−ラウリルエーテル、ＰＯＥ−オレイルエーテル、ＰＯＥ−ステアリルエーテル、ＰＯＥ−ベヘニルエーテル、ＰＯＥ−２−オクチルドデシルエーテル、ＰＯＥ−コレスタノールエーテル等）；プルロニック型類（例えば、プルロニック等）；ＰＯＥ・ＰＯＰ−アルキルエーテル類（例えば、ＰＯＥ・ＰＯＰ−セチルエーテル、ＰＯＥ・ＰＯＰ−２−デシルテトラデシルエーテル、ＰＯＥ・ＰＯＰ−モノブチルエーテル、ＰＯＥ・ＰＯＰ−水添ラノリン、ＰＯＥ・ＰＯＰ−グリセリンエーテル等）；テトラＰＯＥ・テトラＰＯＰ−エチレンジアミン縮合物類（例えば、テトロニック等）；ＰＯＥ−ヒマシ油硬化ヒマシ油誘導体（例えば、ＰＯＥ−ヒマシ油、ＰＯＥ−硬化ヒマシ油、ＰＯＥ−硬化ヒマシ油モノイソステアレート、ＰＯＥ−硬化ヒマシ油トリイソステアレート、ＰＯＥ−硬化ヒマシ油モノピログルタミン酸モノイソステアリン酸ジエステル、ＰＯＥ−硬化ヒマシ油マレイン酸等）；ＰＯＥ−ミツロウ・ラノリン誘導体（例えば、ＰＯＥ−ソルビットミツロウ等）；アルカノールアミド（例えば、ヤシ油脂肪酸ジエタノールアミド、ラウリン酸モノエタノールアミド、脂肪酸イソプロパノールアミド等）；ＰＯＥ−プロピレングリコール脂肪酸エステル；ＰＯＥ−アルキルアミン；ＰＯＥ−脂肪酸アミド；ショ糖脂肪酸エステル；アルキルエトキシジメチルアミンオキシド；トリオレイルリン酸等が挙げられる。
【００２４】
制汗剤としては、クロロヒドロキシアルミニウム、パラフェノールスルホン酸亜鉛、アルミニウムハイドロキシクロライド、塩化アルミニウム、硫酸アルミニウム、クエン酸アルミニウム、酢酸アルミニウム、塩基性塩化アルミニウム、フェノールスルホン酸アルミニウム、β−ナフトールジスルホン酸アルミニウム、過ホウ酸ナトリウム、アルミニウムジルコニウムオクタクロロハイドレート、アルミニウムジルコニウムペンタクロロハイドレート、アルミニウムジルコニウムテトラクロロハイドレート、アルミニウムジルコニウムトリクロロハイドレート、ジルコニウムクロロハイドレート、硫酸アルミニウムカリウム、アラントインクロルヒドロキシアルミニウム、塩基性臭化アルミニウム、アルミニウムナフタリンスルホン酸、塩基性ヨウ化アルミニウム、酸化亜鉛等が挙げられる。
【００２５】
消臭剤としては、例えば、酸化亜鉛、酸化亜鉛複合粉末、活性炭、シクロデキストリン、緑茶抽出物など植物抽出物等が挙げられる。
【００２６】
粉末成分としては、例えば、無機粉末（例えば、タルク、カオリン、雲母、絹雲母（セリサイト）、白雲母、金雲母、合成雲母、紅雲母、黒雲母、パーミキュライト、炭酸マグネシウム、炭酸カルシウム、ケイ酸アルミニウム、ケイ酸バリウム、ケイ酸カルシウム、ケイ酸マグネシウム、ケイ酸ストロンチウム、タングステン酸金属塩、マグネシウム、シリカ、ゼオライト、硫酸バリウム、焼成硫酸カルシウム（焼セッコウ）、リン酸カルシウム、弗素アパタイト、ヒドロキシアパタイト、セラミックパウダー、金属石鹸（例えば、ミリスチン酸亜鉛、パルミチン酸カルシウム、ステアリン酸カルシウム、ステアリン酸アルミニウム）、窒化ホウ素等）；有機粉末（例えば、ポリアミド樹脂粉末（ナイロン粉末）、ポリエチレン粉末、ポリメタクリル酸メチル粉末、ポリスチレン粉末、スチレンとアクリル酸の共重合体樹脂粉末、ベンゾグアナミン樹脂粉末、ポリ四弗化エチレン粉末、セルロース粉末等）；無機白色顔料（例えば、二酸化チタン、酸化亜鉛等）；無機赤色系顔料（例えば、酸化鉄（ベンガラ）、チタン酸鉄等）；無機褐色系顔料（例えば、γ−酸化鉄等）；無機黄色系顔料（例えば、黄酸化鉄、黄土等）；無機黒色系顔料（例えば、黒酸化鉄、低次酸化チタン等）；無機紫色系顔料（例えば、マンゴバイオレット、コバルトバイオレット等）；無機緑色系顔料（例えば、酸化クロム、水酸化クロム、チタン酸コバルト等）；無機青色系顔料（例えば、群青、紺青等）；パール顔料（例えば、酸化チタンコーテッドマイカ、酸化チタンコーテッドオキシ塩化ビスマス、酸化チタンコーテッドタルク、着色酸化チタンコーテッドマイカ、オキシ塩化ビスマス、魚鱗箔等）；金属粉末顔料（例えば、アルミニウムパウダー、カッパーパウダー等）；ジルコニウム、バリウム又はアルミニウムレーキ等の有機顔料（例えば、赤色２０１号、赤色２０２号、赤色２０４号、赤色２０５号、赤色２２０号、赤色２２６号、赤色２２８号、赤色４０５号、橙色２０３号、橙色２０４号、黄色２０５号、黄色４０１号、及び青色４０４号などの有機顔料、赤色３号、赤色１０４号、赤色１０６号、赤色２２７号、赤色２３０号、赤色４０１号、赤色５０５号、橙色２０５号、黄色４号、黄色５号、黄色２０２号、黄色２０３号、緑色３号及び青色１号等）；天然色素（例えば、クロロフィル、β−カロチン等）等が挙げられる。
【００２７】
抗菌剤としては、竹抽出物、アリルカラシ油、プロタミン、茶抽出物、グレープフルーツ種子抽出物、リゾチ−ム、キトサンなどの食品添加物、あるいはヒノキチオ−ルなどの天然系抗菌剤等が挙げられる。
【００２８】
香料としては、じゃ香、レモンオイル、１−ヘプタノール、α−メチルイオノン、アルデヒドＣ−１０、アルデヒドＣ−１１、アルデヒドＣ−９、アリルヘプタノエート、アニスアルデヒド、ベンズアルデヒド、ベンズアセテート、ベンジルアセテート、ブチルプロピオネート、セダーリーフオイル、セドロール、セドリルアセテート、シンナミックアルコール、シナモンリーフ、シトロネラオイル、シトロネラール、グローブバッドオイル、シクラメンアルデヒド、エチルブチレート、エチルカプロエート、エチルイソブチレート、エチルイソバレエート、エチルプロピオネート、ユーカリプタスオイル、オイゲノール、ファルネゾール、ゲラニオール、ヘプチルアルデヒド、ヘプチルホルメート、ヘキシルアセテート、ハイドロトロピックアルデヒド、イソボニルアセテート、イソアミルホルメート、リモネン、リナルール、リナリルアセテート、メチルヘプテノン、ノニルアルデヒド、オルガナムオイル、ｐ−クレシルアセテート、ｐ−メチルアセトフェノン、フェニルアセトアルデヒド、プロピルプロピオネート、スペアミントオイル、テルペニルアセテート、リナロール、テトラハイドロリナロール、チモール、イソボルニルアセテート、α−イオノン、β−イオノン、アセチルセドレン、アセチルオイゲノール、アルコールＣ−１０、アルコールＣ−１１ウンデシレニック、アルコールＣ−１２、アルデヒドＣ−１４、アルデヒドＣ−１８、アニスアルコール、アニシルアセテート、ベンジルベンゾエート、ベンジルイソバレエート、ベンジルサリシレート、シンナミルアセテート、シトロネロール、シトロネリルイソブチレート、シトロネリルオキシアセトアルデヒド、クマリン、エチルシンナメート、エチルバニリン、ゲラニルイソブチレート、ゲラニルチグレート、ヘリオトロピン、ヘキシルシンナミックアルデヒド、ヒドロキシシトロネラール、インドール、イソアミルシンナミックアルデヒド、イソアミルサリシレート、ジャスモン、メチルアントラニレート、メチルシンナメート、ムスコン、ムスクケトン、ネロリドール、ペンタライド、フェニルアセティックアシッド、ラベンダーオイル、メントール、バニリン等が挙げられる
【００２９】
【実施例】
以下、実施例によって更に詳細に説明するが、本発明はこれらの実施例に限定されるものではない。　なお本実施例におけるε−ポリリジンはチッソ（株）製のε−ポリリジンを使用した。
【００３０】
抗菌性評価１
（試験菌液の調製）
滅菌した１／５００濃度の普通ブイヨン培地に、滅菌ピペットでコリネバクテリウム・キセロシス（Ｃｏｒｙｎｅｂａｃｔｅｒｉｕｍ　ｘｅｒｏｓｉｓ）を培地中の生菌数が１０３個／ｍＬレベルの濃度となるように調整し試験菌液Ａを得た。同様にコリネバクテリウム・ミニュテッシウム（Ｃｏｒｙｎｅｂａｃｔｅｒｉｕｍ　ｍｉｎｕｔｉｓｓｉｕｍ）を培地中の生菌数が１０３個／ｍＬレベルの濃度となるように調整し試験菌液Ｂを得た。
（試験防臭消臭剤液の調製）
ε−ポリリジン２５重量％水溶液２．０ｇ、クエン酸２．０ｇ、クエン酸ナトリウム２．０ｇ、グリシン５．０ｇ及び精製水８９．０ｇを混合し、本発明の皮膚用防臭消臭剤組成物１を得た。
また、ε−ポリリジン２５重量％水溶液２．０ｇ及び精製水９８．０ｇを混合し、防臭消臭剤比較組成物１を得た
【００３１】
（抗菌性試験）
実施例１
試験菌液Ａ、Ｂ各１．０ｍＬに皮膚用防臭消臭剤組成物１を０．１ｍＬ添加し、３６゜Ｃ±１゜Ｃの条件で２４時間培養を行った。培養終了後、滅菌生理食塩水（ｐＨ７．４）を１０ｍＬを加えてよく振り、得られた試験菌抽出液１ｍＬ中の生菌数を標準寒天培地法により測定した。測定結果を表１に示した。
【００３２】
比較例１
試験菌液Ａ、Ｂ各１．０ｍＬに防臭消臭剤比較組成物１を０．１ｍＬ添加し、実施例１と同様に培養し、生菌数を測定した。測定結果を表１に示した。
【００３３】
比較例２
試験菌液Ａ、Ｂ各１．０ｍＬに精製水を０．１ｍＬ添加し、実施例１と同様に培養し、生菌数を測定した。測定結果を表１に示した。
【００３４】
表１より、本発明の皮膚用防臭消臭剤は、コリネバクテリウム属であるコリネバクテリウム・キセロシス（Ｃｏｒｙｎｅｂａｃｔｅｒｉｕｍ　ｘｅｒｏｓｉｓ）及びコリネバクテリウム・ミニュテッシウム（Ｃｏｒｙｎｅｂａｃｔｅｒｉｕｍ　ｍｉｎｕｔｉｓｓｉｕｍ）に対して、ともに優れた抗菌性を示すことが確認された。
【００３５】
【表１】
2004035461.tif 000002
【００３６】
官能評価１
組成例２
（粉末スプレー）　　　　　　　　　　　　　　　　　　　　　　　　　　　　　　　　　　　　　　重量％
ε−ポリリジン　　　　　　　　　　　　　　　　　　　　　　　　　　　　　　　　　　　　　　　　０．２
タルク　　　　　　　　　　　　　　　　　　　　　　　　　　　　　　　　　　　　　　　　　　５．０
エタノール　　　　　　　　　　　　　　　　　　　　　　　　　　　　　　　　　　　２０．０
クエン酸　　　　　　　　　　　　　　　　　　　　　　　　　　　　　　　　　　　　０．５
クエン酸ナトリウム　　　　　　　　　　　　　　　　　　０．５
グリシン　　　　　　　　　　　　　　　　　　　　　　　　　　　　　　　　　　　　　　　　　　　　０．５
グリセリン　　　　　　　　　　　　　　　　　　　　　　　　　　　　　　　　　　　　　　　　　　　４．５
香料　　　　　　　　　　　　　　　　　　　　　　　　　　　　　　　　　　　　　　　　　　　　　１５．０
液化石油ガス　　　　　　　　　　　　　　　　　　　　　　　　　　　　全体を１００重量％とした残部
【００３７】
前記粉末スプレー組成物の粉末組成分を試験室ニーダーを用いて混合し、これに油分及び添加剤を試験室ブレンダーで混合した後、スプレー缶に充填し、液化ガスを封入して粉末スプレー剤を得た。
【００３８】
組成例３
（ロールオン）　　　　　　　　　　　　　　　　　　　　　　　　　　　　　　　　　重量％
ε−ポリリジン　　　　　　　　　　　　　　　　　　　　　　　　　　　　　　　　　　０．２
エタノール　　　　　　　　　　　　　　　　　　　　　　　　　　　　　　　　　　　　　　　　　　　４０．０
乳酸　　　　　　　　　　　　　　　　　　　　　　　　　　　　　　　　　　　　　　　　　　　　　　　０．５
乳酸ナトリウム　　　　　　　　　　　　　　　　　　　　　　　　　　　　　　　　　　　　　０．５
グリシン　　　　　　　　　　　　　　　　　　　　　　　　　　　　　　　　　　　　　　　　　　　　　１．０
香料　　　　　　　　　　　　　　　　　　　　　　　　　　　　　　　　　　　　　　　　　　　　０．５
水　　　　　　　　　　　　　　　　　　　　　　　　　　　　　　　　　　　　　　　　全体を１００重量％とした残部
【００３９】
前記ロールオン成分を混合したものを容器に充填し、ロールオン剤を得た。
【００４０】
実施例２、３
（防臭効果試験：腋臭）腋臭を自覚する各１０名の男性被験者を用いて、官能評価を行った。被験者の腋臭がしなくなるまで７０重量％エタノールで拭き、上記組成例２の粉末スプレー剤を腋下にスプレーし、また上記組成例３のロールオン剤は腋下に塗布し、それぞれ腋臭の程度を以下の基準で評価し、１０名の平均値を求めた。結果を表２に示す。
（評価基準）
３：効果を感じる
２：やや効果を感じる
１：かすかに効果を感じる
０：効果を感じない
【００４１】
【表２】
2004035461.tif 000003
【００４２】
表２の結果より、本発明の防臭消臭剤は腋臭を抑制する効果があることが確認できた。　またいずれの被検者とも皮膚のかぶれや炎症は認められなかった。
【００４３】
実施例４
（ヘアートニック）　　　　　　　　　　　　　　　　　　　　　　　　　　　　　重量％
ε−ポリリジン　　　　　　　　　　　　　　　　　　　　　　　　　　　　　　　　　０．３
エタノール　　　　　　　　　　　　　　　　　　　　　　　　　　　　　　　　　　　　５０．０
クエン酸　　　　　　　　　　　　　　　　　　　　　　　　　　　　　　　　　　　　　　　　　　　　　　０．５
クエン酸ナトリウム　　　　　　　　　　　　　　　　　　　　　　　　　　　　　　　　　　　　０．５
グリシン　　　　　　　　　　　　　　　　　　　　　　　　　　　　　　　　　　　　　　　　　　　　　　１．０
ポリオキシエチレン・オレイルエーテル　　　　　　　　　　　１．０
香料　　　　　　　　　　　　　　　　　　　　　　　　　　　　　　　　　　　　　　　　　　　　　０．２
水　　　　　　　　　　　　　　　　　　　　　　　　　　全体を１００重量％とした残部
【００４４】
男性１０人にシャンプー洗髪後、前記配合のヘアートニックを使用してもらい、１０時間後の頭皮臭の抑制効果を評価した。得られたヘアートニックは、頭皮臭を抑制する効果が認められた。
【００４５】
抗菌性評価２
（試験菌液の調製）
滅菌した１／５００濃度の普通ブイヨン培地に、滅菌ピペットでブレビバクテリウム・リネンズ（Ｂｒｅｖｉｂａｃｔｅｒｉｕｍ　ｌｉｎｅｎｓ）を培地中の生菌数が１０３個／ｍＬレベルの濃度となるように調整し試験菌液Ｃを得た。同様にブレビバクテリウム・エピデルミス（Ｂｒｅｖｉｂａｃｔｅｒｉｕｍ　ｅｐｉｄｅｒｍｉｄｉｓ）を培地中の生菌数が１０３個／ｍＬレベルの濃度となるように調整し試験菌液Ｄを得た。
（試験防臭消臭剤液の調製）
ε−ポリリジン２５重量％水溶液２．０ｇ、乳酸２．０ｇ、乳酸ナトリウム２．０ｇ、グリシン５．０ｇ及び精製水８９．０ｇを混合し、本発明の靴用防臭消臭剤組成物１を得た。
また、ε−ポリリジン２５％水溶液２．０ｇ及び精製水９８．０ｇを混合し、靴用防臭消臭剤比較組成物１を得た
【００４６】
（抗菌性試験）
実施例５
試験菌液Ｃ、Ｄ各１．０ｍＬに靴用防臭消臭剤組成物１を０．１ｍＬ添加し、３６゜Ｃ±１゜Ｃの条件で２４時間培養を行った。培養終了後、滅菌生理食塩水（ｐＨ７．４）を１０ｍＬを加えてよく振り、得られた試験菌抽出液１ｍＬ中の生菌数を標準寒天培地法により測定した。測定結果を表３に示した。
【００４７】
比較例３
試験菌液Ｃ、Ｄ各１．０ｍＬに靴用防臭消臭剤比較組成物１を０．１ｍＬ添加し、実施例５と同様に培養し、生菌数を測定した。測定結果を表３に示した。
【００４８】
比較例４
試験菌液Ｃ、Ｄ各１．０ｍＬに精製水を０．１ｍＬ添加し、実施例５と同様に培養し、生菌数を測定した。測定結果を表３に示した。
【００４９】
表３より、本発明の靴用の防臭消臭剤は、ブレビバクテリウム属であるでブレビバクテリウム・リネンズ（Ｂｒｅｖｉｂａｃｔｅｒｉｕｍ　ｌｉｎｅｎｓ）及びブレビバクテリウム・エピデルミス（Ｂｒｅｖｉｂａｃｔｅｒｉｕｍ　ｅｐｉｄｅｒｍｉｄｉｓ）に対して、ともに優れた抗菌性を示すことが確認された。
【００５０】
【表３】
2004035461.tif 000004
【００５１】
官能評価２
組成例４
（粉末スプレー）　　　　　　　　　　　　　　　　　　　　　　　　　　　　　　　　　　　　　　重量％
ε−ポリリジン　　　　　　　　　　　　　　　　　　　　　　　　　　　　　　　　　　　　　　　　０．２
タルク　　　　　　　　　　　　　　　　　　　　　　　　　　　　　　　　　　　　　　　　　　５．０
エタノール　　　　　　　　　　　　　　　　　　　　　　　　　　　　　　　　　　　３０．０
クエン酸　　　　　　　　　　　　　　　　　　　　　　　　　　　　　　　　　　　　０．５
クエン酸ナトウム　　　　　　　　　　　　　　　　　　　０．５
グリシン　　　　　　　　　　　　　　　　　　　　　　　　　　　　　　　　　　　　　　　　　　　　　０．５
グリセリン　　　　　　　　　　　　　　　　　　　　　　　　　　　　　　　　　　　　　　　　　　　　２．０
緑茶抽出物　　　　　　　　　　　　　　　　　　　　　　　０．５
香料　　　　　　　　　　　　　　　　　　　　　　　　　　　　　　　　　　　　　　　　　　　　　　　１５．０
液化石油ガス　　　　　　　　　　　　　　　　　　　　　　　　全体を１００重量％とした残部
【００５２】
前記粉末スプレー組成物の粉末組成分を試験室ニーダーを用いて混合し、これに油分及び添加剤を試験室ブレンダーで混合した後、スプレー缶に充填し、液化ガスを封入して粉末スプレー剤を得た。
【００５３】
組成例５
エアゾールスプレー　　　　　　　　　　　　　　　　重量％
ＰＯＥ−オレイルエーテル　　　　　　　　　　　　　　　０．５
ε−ポリリジン　　　　　　　　　　　　　　　　　　　　　　　　　　　　　　　　　　　　　　　　０．２
クエン酸　　　　　　　　　　　　　　　　　　　　　　　　　　　　　　　　　　　０．５
クエン酸ナトリウム　　　　　　　　　　　　　　　　　　　０．５
グリシン　　　　　　　　　　　　　　　　　　　　　　　　　　　　　　　　　　　　　　　　　　　　　０．５
エタノール　　　　　　　　　　　　　　　　　　　　　　　　　　　　　　　　　　　３０．０
ヒノキチオール　　　　　　　　　　　　　　　　　　　　　０．２
香料　　　　　　　　　　　　　　　　　　　　　　　　　　　　　　　　　　　　　　　　　　　　　　　　１．０
水　　　　　　　　　　　　　　　　　　　　　　　　　　　　　　　　全体を１００重量％とした残部
上記成分を均一に溶解し、プロパン／ブタン２．７混合物とともに３９：６１の比率でエアゾール容器に充填する。
【００５４】
組成例６
ポンプスプレー　　　　　　　　　　　　　　　　　　　　　　　　　　　　　　　　　　　　　　　　重量％
エタノール　　　　　　　　　　　　　　　　　　　　　　　　　　　　　　　　　　　５０．０
グリセロール　　　　　　　　　　　　　　　　　　　　　　　　　　　　　　　　　　　　　　　１．０
モノステアリン酸プロピレングリコール　　　　　　　　　１．０
ＰＥＧ　４０−水素化ヒマシ油　　　　　　　　　　　　　　　　　　　　　　　　　　　　　２．０
ε−ポリリジン　　　　　　　　　　　　　　　　　　　　　　　　　　　　　　　　　　　　　　　　　　　０．２
乳酸　　　　　　　　　　　　　　　　　　　　　　　　　　　　　　　　　　　　　　　　０．５
乳酸ナトリウム　　　　　　　　　　　　　　　　　　　　　０．５
アラニン　　　　　　　　　　　　　　　　　　　　　　　　　　　　　　　　　　　　　　　　　　　　　　　０．５
香料　　　　　　　　　　　　　　　　　　　　　　　　　　　　　　　　　　　　　　　　　　　　　　　　　　１．０
水　　　　　　　　　　　　　　　　　　　　　　　　　　　　　　　　　　　　　　全体を１００重量％とした残部
上記成分を均一に溶解し、ポンプ噴霧器に充填する。
【００５５】
実施例６〜８
（防臭効果試験）各２０名の男性被験者を用いて、官能評価を行った。被験者に各自の靴の中のにおいを嗅いでもらったあと、左右どちらかの靴の中に組成例４、５または６で得た組成物を約３秒間スプレーした。その後靴を履いて８時間過ごした後、再び両方の靴の中のにおいを嗅いでもらい、それぞれにおいの程度を以下の基準で評価し、２０名の平均値を求めた。結果を表４に示す。
（評価基準）
３：効果を感じる
２：やや効果を感じる
１：かすかに効果を感じる
０：効果を感じない
【００５６】
【表４】
2004035461.tif 000005
【００５７】
表４の結果より、本発明の防臭消臭剤は靴の中の臭いを抑制する効果があることが確認できた。またいずれの被検者とも皮膚のかぶれや炎症は認められなかった。
【００５８】
抗菌性評価３
（試験菌液の調整）
滅菌した１／５００濃度の普通ブイヨン培地に、滅菌ピペットでコリネバクテリウム・キセロシス（Ｃｏｒｙｎｅｂａｃｔｅｒｉｕｍ　ｘｅｒｏｓｉｓ）を培地中の生菌数が１０３個／ｍＬレベルの濃度となるように調整し試験菌液Ｅを得た。同様にブレビバクテリウム・リネンズ（Ｂｒｅｖｉｂａｃｔｅｒｉｕｍ　ｌｉｎｅｎｓ）を培地中の生菌数が１０３個／ｍＬレベルの濃度となるように調整し試験菌液Ｆを得た。
（試験防臭消臭剤液の調製）
ε−ポリリジン２５％水溶液２．０ｇ、クエン酸２．０ｇ、クエン酸ナトリウム２．０ｇ、アラニン５．０ｇ及び精製水８９．０ｇを混合し、本発明の繊維製品用防臭消臭剤組成物１を得た。
また、ε−ポリリジン２５％水溶液２．０ｇ及び精製水９８．０ｇを混合し、繊維製品用防臭消臭剤比較組成物１を得た
【００５９】
（抗菌性試験）
実施例９
試験菌液Ｅ、Ｆ各１．０ｍＬに繊維製品用防臭消臭剤組成物１を０．１ｍＬ添加し、３６゜Ｃ±１゜Ｃの条件で２４時間培養を行った。培養終了後、滅菌生理食塩水（ｐＨ７．４）を１０ｍＬを加えてよく振り、得られた試験菌抽出液１ｍＬ中の生菌数を標準寒天培地法により測定した。測定結果を表５に示した。
比較例５
試験菌液Ｅ、Ｆ各１．０ｍＬに繊維製品用防臭消臭剤比較組成物１を０．１ｍＬ添加し、実施例９と同様に培養し、生菌数を測定した。測定結果を表５に示した。
【００６０】
比較例６
試験菌液Ｅ、Ｆ各１．０ｍＬに精製水を０．１ｍＬ添加し、実施例９と同様に培養し、生菌数を測定した。測定結果を表５に示した。
【００６１】
表５より、本発明の繊維製品用防臭消臭剤組成物は、コリネバクテリウム属であるコリネバクテリウム・キセロシス（Ｃｏｒｙｎｅｂａｃｔｅｒｉｕｍ　ｘｅｒｏｓｉｓ）及びブレビバクテリウム属（Ｂｒｅｖｉｂａｃｔｅｒｉｕｍ）の菌であるブレビバクテリウム・リネンズ（Ｂｒｅｖｉｂａｃｔｅｒｉｕｍ　ｌｉｎｅｎｓ）に対して、ともに優れた抗菌性を示すことが確認された。
【００６２】
【表５】
2004035461.tif 000006
【００６３】
官能評価３
組成例７
エアゾールスプレー　　　　　　　　　　　　　　　　　重量％
ＰＯＥ−オレイルエーテル　　　　　　　　　　　　　　　０．５
ε−ポリリジン　　　　　　　　　　　　　　　　　　　　　　　　　　　　　　　　　　　　　　　　０．２
クエン酸　　　　　　　　　　　　　　　　　　　　　　　　　　　　　　　　　　　０．４
クエン酸ナトリウム　　　　　　　　　　　　　　　　　　０．４
アラニン　　　　　　　　　　　　　　　　　　　　　　　　　　　　　　　　　　　　　　　　　　　　　　０．５
エタノール　　　　　　　　　　　　　　　　　　　　　　　　　　　　　　　　　　　３０．０
キトサン　　　　　　　　　　　　　　　　　　　　　　０．２
香料　　　　　　　　　　　　　　　　　　　　　　　　　　　　　　　　　　　　　　　　　　　　　　　　１．０
水　　　　　　　　　　　　　　　　　　　　　　　　　　　　　　　　　　　　全体を１００重量％とした残部
上記成分を均一に溶解し、プロパン／ブタン２．７混合物とともに３９：６１の比率でエアゾール容器に充填する。
【００６４】
組成例８
ポンプスプレー　　　　　　　　　　　　　　　　　　　　　　　　　　　　　　　　　　　　　　　　重量％
エタノール　　　　　　　　　　　　　　　　　　　　　　　　　　　　　　　　　　　５０．０
グリセロール　　　　　　　　　　　　　　　　　　　　　　　　　　　　　　　　　　　　　　　１．０
ＰＥＧ　４０−水素化ヒマシ油　　　　　　　　　　　　　　　　　　　　　　　　　　　　　２．０
ε−ポリリジン　　　　　　　　　　　　　　　　　　　　　　　　　　　　　　　　　　　　　　　　０．２
乳酸　　　　　　　　　　　　　　　　　　　　　　　　　　　　　　　　　　　　　　０．５
乳酸ナトリウム　　　　　　　　　　　　　　　　　　　　　０．５
グリシン　　　　　　　　　　　　　　　　　　　　　　　　　　　　　　　　　　　　　　　　　　　　　　　０．５
香料　　　　　　　　　　　　　　　　　　　　　　　　　　　　　　　　　　　　　　　　　　　　　　　　　　１．０
水　　　　　　　　　　　　　　　　　　　　　　　　　　　　　　　　　　　　　　全体を１００重量％とした残部
上記成分を均一に溶解し、ポンプ噴霧器に充填する。
【００６５】
実施例１０、１１
（防臭効果試験）２４時間着用した肌着（グンゼ製半袖アンダーシャツ、グンゼＹＧ）に、上記組成例７、８のスプレー剤を、肌着１０００ｃｍ２に対して０．５ｇとなるように均一に噴霧し、室温で３０分間自然乾燥した。これをビニール袋に入れて密封した後、室内で２日間放置した。
男性及び女性各１０人のパネラーに対象物の臭いを嗅いでもらい、上記組成例６、７のスプレー剤を使用しない時と比較した場合の対象物の臭いを、下記の４段階で評価し、平均点を求めた。結果を表６に示す。
（評価基準）
３：効果を感じる
２：やや効果を感じる
１：かすかに効果を感じる
０：効果を感じない
【００６６】
【表６】
2004035461.tif 000007
【００６７】
表６の結果より、本発明の繊維製品用防臭消臭剤は繊維製品の悪臭を抑制する効果があることが確認できた。
【００６８】
【発明の効果】
本発明の防臭消臭剤は、皮膚常在菌のうち、腋臭等の悪臭発生の原因となるコリネバクテリウム菌に対し優れた抗菌作用を示し、良好な防臭消臭性を有しており、皮膚用防臭消臭剤として好適であり、また、本発明の防臭消臭剤は、皮膚常在菌のうち、足の悪臭の原因となるブレビバクテリウム属（Ｂｒｅｖｉｂａｃｔｅｒｉｕｍ）の菌に対して優れた抗菌作用を示し、良好な防臭消臭性を有しており、靴用の防臭消臭剤としても好適であり、さらに、本発明の防臭消臭剤は、繊維製品に付着した皮脂等の汚れを分解することで悪臭を発生する原因となるブレビバクテリウム菌、及びコリネバクテリウム菌に対し優れた抗菌作用を示し、良好な防臭消臭性を有している。また、本発明の防臭消臭剤は人体等に使用しても安全性が高い。